(57)【要約】【課題】略直交する壁面のコーナー部に取り付けて、左右いずれの壁面からでも電源線を供給することができる照明器具を提供する。【解決手段】照明器具１０を交差する壁面１１、１１のコーナー部に取付ける際には、ソケット２５を前面に有する中央板状部２１の左右両側に設けられている側板状部２２、２３を左右の壁面１１、１１に取り付ける。このとき、壁面１１から引き出された電源線１２は、中央板状部２１に設けられた引き込み孔２６を通って照明器具１０の内部に引き込まれ、器具本体２０に取り付けられている端子台２７に接続されるので、左右いずれの壁面１１、１１から電源線１２を引き込む場合でも１個の引き込み孔２６で対応でき、製作工数を減少させることができる。【選択図】図１
2010272293.tif 000002
【特許請求の範囲】
【請求項１】
前面にソケットを有する中央板状部と、前記中央板状部の左右両側に設けられて相互に略直交し背面が壁面に対向する一対の側板状部と、前記中央板状部および前記側板状部の少なくとも一方の前面に設けられ前記壁面から引き込まれた電源線を接続する端子台と、を備えた照明器具であって、
前記中央板状部に前記電源線を引き込むための引き込み孔を設けるとともに、前記端子台の接続部を前記引き込み孔側に設けたことを特徴とする照明器具。
【請求項２】
前記引き込み孔を前記ソケットよりも下方に設けるとともに、前記端子台を前記ソケットよりも下方もしくは同一高さに設けたことを特徴とする請求項１記載の照明器具。
【発明の詳細な説明】
【技術分野】
【０００１】
本発明は、略直交する壁面のコーナー部に取り付けるのに好適な照明器具に関するものである。
【背景技術】
【０００２】
図４に示すように、従来の照明器具１００として、被取付部である壁面１０１に取り付けられ光源であるランプを有する器具本体１０２を、セード１０３により覆うものが知られている（例えば特許文献１参照）。
器具本体１０２は板状をしており、一方の面にはランプソケット１０４が配置されており、ランプを着脱自在に保持する。他方の面は、壁面１０１に取り付けられた取付板１０５に対向して取り付けられる。セード１０３は全体コ字状をしており上方および下方が開口している。器具本体１０２の上端には、上ルーバー１０６が上下に回動可能に取り付けられており、セード１０３の上開口部を開閉する。同様に、器具本体１０２の下端には、下ルーバー１０７が上下に回動可能に取り付けられており、セード１０３の下開口部を開閉する。これにより、壁面１０１に取り付けた照明器具１００が、ルーバー１０６、１０７を介して天井面および床面の照明を行う。
【先行技術文献】
【特許文献】
【０００３】
【特許文献１】特開２００４−２２３１５号公報（第１図）
【発明の概要】
【発明が解決しようとする課題】
【０００４】
ところで、図５に示すように、壁面１０１に取り付ける照明器具１１０を、略直交する壁面１０１、１０１のコーナー部に取り付ける場合がある。このような場合には、ランプ１１５を装着するランプソケット１１６が取り付けられた板状の器具本体１１１に、相互に略直交し背面が壁面１０１に対向する一対の側板１１２、１１３を設ける。そして、略直交する壁面１０１のどちら側からでも電源線１１４を引き込むことができるように、一対の側板１１２、１１３の両方に、電源線１１４を引き込むための引き込み孔１１２ａ、１１３ａを設けるのが一般的である。
しかしながら、このような照明器具１１０においては、実際の施工時には、いずれか一方の引き込み孔１１２ａ（１１３ａ）しか使用されないため、余分な加工をして工数を増やしているという問題があった。
【０００５】
本発明は、従来の問題を解決するためになされたもので、略直交する壁面のコーナー部に取り付けて、左右いずれの壁面からでも電源線を供給することができる照明器具を提供することを目的とする。
【課題を解決するための手段】
【０００６】
本発明の照明器具は、前面にソケットを有する中央板状部と、前記中央板状部の左右両側に設けられて相互に略直交し背面が壁面に対向する一対の側板状部と、前記中央板状部および前記側板状部の少なくとも一方の前面に設けられ前記壁面から引き込まれた電源線を接続する端子台と、を備えた照明器具であって、前記中央板状部に前記電源線を引き込むための引き込み孔を設けるとともに、前記端子台の接続部を前記引き込み孔側に設けた構成を有している。
【０００７】
この構成により、照明器具を交差する壁面のコーナー部に取付ける際には、ソケットを前面に有する中央板状部の左右両側に設けられている側板状部を左右の壁面に取り付ける。このとき、壁面から引き出された電源線は、中央板状部に設けられた引き込み孔を通って照明器具の内部に引き込まれ、器具本体に取り付けられている端子台に接続されるので、左右いずれの壁面から電源線を引き込む場合でも１個の引き込み孔で対応でき、製作工数を減少させることができる。
【０００８】
また、本発明の照明器具は、前記引き込み孔を前記ソケットよりも下方に設けるとともに、前記端子台を前記ソケットよりも下方もしくは同一高さに設けた構成を有している。
【０００９】
この構成により、中央板状部に設ける引き込み孔を、ソケットよりも下方に設けるとともに端子台もソケットよりも下方もしくは同一高さに設けたので、引き込まれた電源線は光源の下方に配線される。また、端子台も光源よりも上方に配置しない。このため、電源線や端子台が、光源による加熱や紫外線によって劣化するのを防止して、耐久性を改善することができる。
【発明の効果】
【００１０】
本発明は、壁面から引き出された電源線は、中央板状部に設けられた引き込み孔を通って照明器具の内部に引き込まれ、器具本体に取り付けられている端子台に接続されるので、左右いずれの壁面から電源線を引き込む場合でも１個の引き込み孔で対応でき、製作工数を減少させることができるという効果を有する照明器具を提供することができるものである。
【図面の簡単な説明】
【００１１】
【図１】（Ａ）は本発明の実施形態にかかる照明器具を下方から見た分解斜視図、（Ｂ）は下方から見た斜視図
【図２】本発明の実施形態にかかる照明器具の平面図
【図３】（Ａ）は壁面に取り付けられた器具本体の正面図、（Ｂ）は電源線を右の壁から引き込んだ場合を下方から見た下面図、（Ｃ）は電源線を左の壁から引き込んだ場合の下面図
【図４】従来の照明器具の分解斜視図
【図５】従来の照明器具における問題点を示す断面図
【発明を実施するための形態】
【００１２】
以下、本発明の実施形態の照明器具について、図面を用いて説明する。
図１および図２に示すように、本発明の実施形態にかかる照明器具１０は、被取付部である例えば左右の壁面１１、１１が直行するコーナー部Ｃに取り付けて、光源であるランプ２４からの光を主に天井面および床面に照射して間接照明するのに用いることができる。この照明器具１０は、左右の壁面１１、１１に跨って取り付けられる器具本体２０と、器具本体２０の前面に着脱可能に取り付けられるセード３０を有する。なお、ランプ２４としては、例えば渦巻き型蛍光ランプを用いることができる。
【００１３】
図３に示すように、器具本体２０は例えば全体略矩形状の金属板を折り曲げ加工して、前面２１１にソケットを有する中央板状部２１と、中央板状部２１の左右両側に設けられた一対の側板状部２２、２３とを有する。左右の側板状部２２、２３は背面が壁面１１に対向して取り付けられる部分であり、両側板状部２２、２３を延長すると、略直角に交差するように折り曲げ加工されている。
【００１４】
中央板状部２１には、壁１１１に設けられた貫通穴１１２から引き込まれる電源線１２を器具本体の前方に引き込むための引き込み孔２６が貫通して設けられており、中央板状部２１の前面２１１にはランプ２４を交換可能に装着するソケット２５が設けられている。なお、引き込み孔２６は、ソケット２５の下方に設けるのが望ましい。中央板状部２１は、例えば、左右の壁面１１、１１が交差するコーナー部Ｃに、一辺の長さＬ１が４０ｍｍ程度の直角三角形の空間Ｓを確保できる程度の大きさに設定する。そして、壁１１を貫通する貫通穴１１２は、コーナー部Ｃから例えばＬ２＝２０ｍｍ程度の位置に形成するのが望ましい。
【００１５】
また、中央板状部２１の上下両端部には各々上下に突出する舌片が設けられ、両舌片を中央板状部２１の前面２１１に直交する前方へ折り曲げて、セード３０を取り付けるためのブラケット２１２、２１２が設けられている。各ブラケット２１２、２１２の中央には、ネジ穴２１３が形成されている。
【００１６】
左右の側板状部２２、２３は、背面２２１、２３１が壁面１１に面で当接するように略直角に形成されている。両側板状部２２、２３には、壁面１１に取り付けるための係止穴２２３、２３３が設けられている。係止穴２２３は、ネジ２８の頭が通過できる大径の丸穴である膨径部２２４と、この膨径部２２４の上側に連続してネジ２８の頭が通過できない溝部２２５とを有する。係止穴２３３についても同様である。
【００１７】
いずれかの側板状部２３（２２）の前面２３２（２２２）には、端子台２７が取り付けられている。図３に示すように、ここでは、右側の側板状部２３の前面２３２に端子台２７が取り付けられている。端子台２７の接続部２７２には、電源線１２の先端が電気的に接続されており、商用電源から電力の供給を受ける。端子台２７は、電線２７１によってソケット２５に電気的に接続されており、点灯させる電力をソケット２５を介してランプ２４に供給する。
【００１８】
図３（Ａ）に示すように、端子台２７の接続部２７２を、引き込み孔２６側、すなわちここでは下側に設ける。このとき、接続部２７２と引き込み孔２６との距離Ｌ３を、３０ｍｍ以上とするのが望ましい。また、端子台２７をソケット２５よりも下方もしくは同一高さに設けるのが望ましい。
【００１９】
図１に示すように、セード３０は上下に２分割されており、上セード３１および下セード３２を有する。各セード３１、３２は、例えば９０度の扇形状をしており、外周壁３４の外側の端部（上セード３１では上端部、下セード３２では下端部）にルーバー３５を有し、内側の端部は開口している。各セード３１、３２は、締結具であるネジ３３をブラケット２１２のネジ穴２１３に締付けることにより着脱可能に取り付けられる。
【００２０】
図２に示すように、各セード３１、３２のルーバー３５のコーナー部Ｃ側には、平面状の取付部３６が設けられている。取付部３６は、内面側にブラケット２１２が嵌合する大きさおよび形状をした凹部３６１（図１（Ａ）参照）を有しており、中央にはネジ３３が貫通する貫通穴３６２を有する。なお、取付部３６のコーナー部Ｃ側には、中央板状部２１の空間Ｓの少なくとも一部を覆って、電源線１２を隠す配線隠し３８を設けるのが望ましい。
【００２１】
図１（Ａ）に示すように、外周壁３４の内側端に沿って、枠部３７が設けられている。枠部３７は内側面３７１が平面状であり、内側面３７１には複数個の突起３７２を設けるのが望ましい。これにより、両セード３１、３２の突合せ部分である枠部３７の隙間を突起３７２の高さで一定にすることができる。また、突起３７２の高さを変えることにより、枠部３７間の隙間を調整することができる。
【００２２】
なお、各セード３１、３２は、外周壁３４（枠部３７および突起３７２を含む。）およびルーバー３５（配線隠し３８を含む。）を、乳白色のアクリルで一体成型するのが望ましい。また、外周壁３４の内側に、透過性あるいは不透過性のカバー（図示省略）を設けて、電源線１２や電線２７１等を隠すようにするのが、美観性の観点から望ましい。
【００２３】
次に、照明器具１０を壁面１１に取り付ける作業について説明する。
まず、図３に示すように、器具本体２０を壁面１１に取り付ける。この際には、ネジ２８（図２参照）を壁面１１に垂直にねじ込み、ネジ２８の頭と壁面１１との間に少なくとも側板状部２２、２３の厚さより大きな隙間を設ける。次いで、器具本体２０をコーナー部Ｃに近づけて、側板状部２２、２３の係止穴２２３、２３３の膨径部２２４、２３４にネジ２８の頭を通し、器具本体２０を下方へ下げて、ネジ２８を溝部２２５に移動させる。その後、ネジ２８を締付けることにより、器具本体２０を壁面１１に取り付ける。
【００２４】
次いで、図１に示すように、上セード３１の器具本体２０への取付けは、ブラケット２１２の上側からブラケット２１２を取付部３６の凹部３６１に嵌合させ、ネジ３３を上から貫通穴３６２に挿入してブラケット２１２のネジ穴２１３に螺合させて締付ける。また、下セード３２の器具本体２０への取付けは、ブラケット２１２の下側からブラケット２１２を取付部３６の凹部３６１に嵌合させ、ネジ３３を下から貫通穴３６２に挿入してブラケット２１２のネジ穴２１３に螺合させて締付ける。
【００２５】
以上、説明した本発明の実施形態にかかる照明器具１０によれば、照明器具１０を交差する壁面１１、１１のコーナー部に取付ける際には、ソケット２５を前面２１１に有する中央板状部２１の左右両側に設けられている側板状部２２、２３を左右の壁面１１、１１に取り付ける。このとき、壁面１１から引き出された電源線１２は、中央板状部２１に設けられた引き込み孔２６を通って照明器具１０の内部に引き込まれ、器具本体２０に取り付けられている端子台２７に接続されるので、左右いずれの壁面１１から電源線１２を引き込む場合でも１個の引き込み孔２６で対応でき、製作工数を減少させることができる。
【００２６】
また、中央板状部２１に設ける引き込み孔２６を、ソケット２５よりも下方に設けるとともに、端子台２７をソケット２５よりも下方もしくは同一高さに設けたので、電源線１２や端子台２７が、ランプ２４による加熱や紫外線によって劣化するのを防止して、耐久性を改善することができる。
【００２７】
また、端子台２７と引き込み孔２６との距離Ｌ３を所定距離以上とするとともに、端子台２７の接続部２７２を引き込み孔２６側に設けることにより、ランプ２４との距離を確保し、線押さえや遮蔽板等の部品を省略することができる。また、施工性を向上させることができる。
【００２８】
なお、本発明の照明器具１０は、前述した実施形態に限定されるものでなく、適宜な変形，改良等が可能である。
例えば、前述した実施形態においては、右側の側板状部２３に端子台２７を設けた場合を例示したが、左側の側板状部２２に端子台２７を設けることもできる。さらに、両側板状部２２、２３に端子台２７を設けることも可能である。
【符号の説明】
【００２９】
１０  照明器具
１１  壁面
１２  電源線
２１  中央板状部
２１１  前面
２２  側板状部
２２１  背面
２３  側板状部
２３１  背面
２５  ソケット
２６  引き込み孔
２７  端子台
２７２  接続部
【図１】
2010272293.tif 000003
【図２】
2010272293.tif 000004
【図３】
2010272293.tif 000005
【図４】
2010272293.tif 000006
【図５】
2010272293.tif 000007